【手続補正書】
【提出日】平成16年9月15日(2004.9.15)
【手続補正１】
【補正対象書類名】明細書
【補正対象項目名】全文
【補正方法】変更
【補正の内容】
【書類名】        明細書
【発明の名称】    パンツ型の使い捨て着用物品
【特許請求の範囲】
【請求項１】  互いに対向する前胴周り域および後胴周り域と、それら胴周り域の間に位置する股下域とを備え、透液性シートおよび不透液性シートと、それらシートの間に位置して前記股下域から前記前後胴周り域へ向かって延びる吸液性パネルとから構成され、胴周り方向へ延びる胴周り端部に囲まれた胴周り開口と、脚周り方向へ延びる脚周り側部に囲まれた一対の左右脚周り開口とを有するパンツ型の使い捨て着用物品において、
前記物品が、前記股下域の左半分に形成されて前記左脚周り開口の頂部の側に位置する前記脚周り側部の自由縁から前記股下域の幅方向中央部へ向かって凸となる第１折曲案内部と、前記股下域の右半分に形成されて前記右脚周り開口の頂部の側に位置する前記脚周り側部の自由縁から前記股下域の幅方向中央部へ向かって凸となる第２折曲案内部と、前記脚周り方向へ離間対向して前記第１および第２折曲案内部の間を幅方向へ横切る一対の第３折曲案内部とを有し、
前記股下域には、前記第１折曲案内部と前記脚周り側部の自由縁との間に延びる第１領域と、前記第２折曲案内部と前記脚周り側部の自由縁との間に延びる第２領域と、前記第１および第２折曲案内部と前記第３折曲案内部との間に延びる第３領域とが形成され、
前記第１領域と前記第２領域とが、前記第１折曲案内部と前記第２折曲案内部とを介して折曲されて前記左右脚周り開口の内側へ向かって折り込まれ、前記第３領域が、前記第３折曲案内部を介して折曲されて前記胴周り開口に向かって前記物品の内側へ折り込まれていることを特徴とする前記着用物品。
【請求項２】  前記第３折曲案内部が、前記股下域の幅方向中央部に形成されている請求項１記載の着用物品。
【請求項３】  前記股下域の幅方向中央部には、前記パネルの剛性が前記幅方向中央部を除く該パネルの残余域のそれよりも低い低剛性域が形成されている請求項１または請求項２に記載の着用物品。
【請求項４】  前記股下域の幅方向中央部には、前記パネルが存在しない非存在域が形成されている請求項１または請求項２に記載の着用物品。
【請求項５】  前記脚周り側部の自由縁が、前記脚周り開口の頂部から底部に向かって物品の幅方向内方へ実質的に弧を画き、前記脚周り側部の自由縁間の幅寸法が、前記脚周り開口の底部で最小となっている請求項１ないし請求項４いずれかに記載の着用物品。
【請求項６】  前記第１および第２領域が折り込まれた物品では、前記脚周り開口の底部における前記脚周り側部の自由縁どうしの最小離間寸法が３〜９ｃｍの範囲にある請求項１ないし請求項５いずれかに記載の着用物品。
【請求項７】  前記第３折曲案内部と前記前胴周り域に位置する前記パネルの前端縁部との間には、前記パネルの両側縁部の内側を脚周り方向へ延びる一対の第４折曲案内部が形成され、前記第４折曲案内部は、前記パネルの剛性が該第４折曲案内部を除く該パネルの残余域のそれよりも低い低剛性域と、前記パネルが存在しない非存在域とのいずれか一方から形成されている請求項１ないし請求項６いずれかに記載の着用物品。
【請求項８】  前記第３折曲案内部と前記後胴周り域に位置する前記パネルの後端縁部との間には、前記パネルの両側縁部の内側を脚周り方向へ延びる一対の第５折曲案内部が形成され、前記第５折曲案内部は、前記パネルの剛性が該第５折曲案内部を除く該パネルの残余域のそれよりも低い低剛性域と、前記パネルが存在しない非存在域とのいずれか一方から形成されている請求項１ないし請求項７いずれかに記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
互いに対向する前胴周り域および後胴周り域と、それら胴周り域の間に位置する股下域とを備え、透液性表面シートおよび不透液性裏面シートと、それらシートの間に介在して股下域から前後胴周り域へ向かって延びる吸液性パネルとから構成され、前後胴周り域の互いに重なり合う胴周り側部が連結されて胴周り開口とその下方に一対の左右脚周り開口とが形成されたパンツ型の使い捨て着用物品は公知である。
【０００３】
胴周り開口は、パネルの前後端縁部の外側を胴周り方向へ延びる胴周り端部に囲まれている。脚周り開口は、パネルの両側縁部の外側を脚周り方向へ延びる脚周り側部に囲まれている。脚周り側部は、その自由縁が脚周り開口の頂部から底部に向かって物品の幅方向内方へ弧を画き、自由縁間の幅寸法が脚周り開口の底部で最小となっている。物品は、股下域の幅寸法が前後胴周り域の幅寸法よりも小さく、前後胴周り域の連結を解除した展開平面形状が実質的に砂時計型を呈する。そのようなパンツ型の着用物品としては、特開平１１−１０４１７７号公報、特開平１１−１０４１８０号公報、特開平１１−１５５９０４号公報、特開平１１−１６９４０３号公報に開示されている。
【０００４】
【発明が解決しようとする課題】
前記公知の着用物品では、胴周り開口を広げてそれを胴周り開口の上方から見ると、胴周り開口と左右脚周り開口とが直線的につながっておらず、脚周り開口の底部の側に延びる脚周り側部が胴周り開口の直下に位置することがわかる。この物品では、それを着用するために着用者がその両脚を胴周り開口から脚周り開口へ通すとき、脚周り開口の底部に位置する脚周り側部に脚の指や踵が引っ掛り易く、物品の着用に手間取る場合がある。
【０００５】
また、この物品では、脚周り開口の底部における股下域の幅寸法が着用者の股間部の幅寸法よりも大きいので、物品を着用したときに、股下域が着用者の股間部に納まらず、股下域が嵩張って着用中に違和感がある。この物品では、股下域が着用者の股間部によって締め付けられたとき、脚周り側部が不規則に折れ曲がったり、パネルに不規則な多数の皺が生じるので、股下域における排泄物吸収機能が低下し易く、股下域から排泄物が漏れてしまう場合がある。
【０００６】
なお、着用者の股間部の幅寸法は、概ね３〜８ｃｍの範囲にある。また、市販されているパンツ型の使い捨て着用物品の多くは、股下域におけるパネルの最小幅寸法が概ね１０〜２０ｃｍの範囲にあり、股下域における脚周りフラップの自由縁間の最小幅寸法が概ね１５〜３０ｃｍの範囲にある。ゆえに、市販の物品では、脚周り開口の底部における股下域の幅寸法が着用者の股間部の幅寸法よりも大きい。
【０００７】
本発明の課題は、着用に手間取ることがなく、股下域を着用者の股間部に納めることができ、着用中の違和感がないパンツ型の使い捨て着用物品を提供することにある。
【０００８】
【課題を解決するための手段】
前記課題を解決するための本発明の前提は、互いに対向する前胴周り域および後胴周り域と、それら胴周り域の間に位置する股下域とを備え、透液性シートおよび不透液性シートと、それらシートの間に位置して前記股下域から前記前後胴周り域へ向かって延びる吸液性パネルとから構成され、胴周り方向へ延びる胴周り端部に囲まれた胴周り開口と、脚周り方向へ延びる脚周り側部に囲まれた一対の左右脚周り開口とを有するパンツ型の使い捨て着用物品である。
【０００９】
前記前提における本発明の特徴としては、前記物品が、前記股下域の左半分に形成されて前記左脚周り開口の頂部の側に位置する前記脚周り側部の自由縁から前記股下域の幅方向中央部へ向かって凸となる第１折曲案内部と、前記股下域の右半分に形成されて前記右脚周り開口の頂部の側に位置する前記脚周り側部の自由縁から前記股下域の幅方向中央部へ向かって凸となる第２折曲案内部と、前記脚周り方向へ離間対向して前記第１および第２折曲案内部の間を幅方向へ横切る一対の第３折曲案内部とを有し、前記股下域には、前記第１折曲案内部と前記脚周り側部の自由縁との間に延びる第１領域と、前記第２折曲案内部と前記脚周り側部の自由縁との間に延びる第２領域と、前記第１および第２折曲案内部と前記第３折曲案内部との間に延びる第３領域とが形成され、前記第１領域と前記第２領域とが、前記第１折曲案内部と前記第２折曲案内部とを介して折曲されて前記左右脚周り開口の内側へ向かって折り込まれ、前記第３領域が、前記第３折曲案内部を介して折曲されて前記胴周り開口に向かって前記物品の内側へ折り込まれていることにある。
【００１０】
本発明の実施の態様の一例としては、前記第３折曲案内部が前記股下域の幅方向中央部に形成されている。
【００１１】
本発明の実施の態様の他の一例として、前記股下域の幅方向中央部には、前記パネルの剛性が前記幅方向中央部を除く該パネルの残余域のそれよりも低い低剛性域が形成されている。
【００１２】
本発明の実施の態様の他の一例として、前記股下域の幅方向中央部には、前記パネルが存在しない非存在域が形成されている。
【００１３】
本発明の実施の態様の他の一例としては、前記脚周り側部の自由縁が前記脚周り開口の頂部から底部に向かって物品の幅方向内方へ実質的に弧を画き、前記脚周り側部の自由縁間の幅寸法が前記脚周り開口の底部で最小となっている。
【００１４】
本発明の実施の態様の他の一例として、前記第１および第２領域が折り込まれた物品では、前記脚周り開口の底部における前記脚周り側部の自由縁どうしの最小離間寸法が３〜９ｃｍの範囲にある。
【００１５】
本発明の実施の態様の他の一例として、前記第３折曲案内部と前記前胴周り域に位置する前記パネルの前端縁部との間には、前記パネルの両側縁部の内側を脚周り方向へ延びる一対の第４折曲案内部が形成され、前記第４折曲案内部は、前記パネルの剛性が該第４折曲案内部を除く該パネルの残余域のそれよりも低い低剛性域と、前記パネルが存在しない非存在域とのいずれか一方から形成されている。
【００１６】
本発明の実施の態様の他の一例として、前記第３折曲案内部と前記後胴周り域に位置する前記パネルの後端縁部との間には、前記パネルの両側縁部の内側を脚周り方向へ延びる一対の第５折曲案内部が形成され、前記第５折曲案内部は、前記パネルの剛性が該第５折曲案内部を除く該パネルの残余域のそれよりも低い低剛性域と、前記パネルが存在しない非存在域とのいずれか一方から形成されている。
【００１７】
【発明の実施の形態】
添付の図面を参照し、本発明に係るパンツ型の使い捨て着用物品の詳細を説明すると、以下のとおりである。
【００１８】
図１，２は、使い捨て着用物品１Ａの斜視図と、第１〜第３領域２５，２６，２７を折り込む以前の状態で示す物品１Ａの斜視図とであり、図３は、前後胴周り域８，１０の連結を解除した状態で示す図２の物品１Ａの部分破断展開平面図である。図１，２では、胴周り方向を矢印Ｘ１、幅方向を矢印Ｘ２で示し、縦方向を矢印Ｙ、脚周り方向を矢印Ｚで示す。図２，３では、第１および第２折曲案内部１９，２０を実線で示し、第３折曲案内部２１を一点鎖線で示す。なお、表裏面シート２，３や外装シート４の内面とは、パネル５に対向する面をいい、それらシート２，３，４の外面とは、パネル５に非対向の面をいう。
【００１９】
物品１Ａは、肌当接側に位置する透液性表面シート２（透液性シート）と、肌非当接側に位置する不透液性裏面シート３（不透液性シート）と、裏面シート３の外側に位置してその面積が表裏面シート２，３のそれよりも大きい不透液性外装シート４（不透液性シート）と、表裏面シート２，３の間に介在してそれらシート２，３のうちの少なくとも一方の内面に固着された吸液性パネル５とから構成されている。物品１Ａでは、表裏面シート２，３とパネル５とが矩形の液吸収性バット構造体６を形成し、外装シート４がパンツ構造体７を形成している。
【００２０】
物品１Ａは、互いに対向する前胴周り域８および後胴周り域１０と、それら胴周り域８，１０の間に位置する股下域９とを有する。物品１Ａは、パネル５の前後端縁部５ａ，５ｂの外側に位置して前後胴周り域８，１０を胴周り方向へ延びる胴周り端部１１と、パネル５の両側縁部５ｃの外側に位置して前後胴周り域８，１０を縦方向へ延びる胴周り側部１２と、パネル５の両側縁部５ｃの外側に位置して股下域９を脚周り方向へ延びる脚周り側部１３とを有する。
【００２１】
物品１Ａでは、胴周り側部１３が合掌状に重なり合い、胴周り側部１３が縦方向へ間欠的に並ぶ多数の熱融着線１４を介して固着されている。物品１Ａには、胴周り端部１１に囲まれた胴周り開口１５と、胴周り開口１５の下方に位置して脚周り側部１３に囲まれた一対の左右脚周り開口１６，１７とが形成されている。
【００２２】
物品１Ａでは、前後胴周り域８，１０と股下域９の幅方向中央部９ａとにおいて裏面シート３の外面と外装シート４の内面とが接着剤１８を介して固着されている。脚周り側部１３は、その自由縁１３ａが脚周り開口１６，１７の頂部１６ａ，１７ａから底部１６ｂ，１７ｂに向かって物品１Ａの幅方向内方へ実質的に弧を画いており、自由縁１３ａ間の幅寸法が脚周り開口１６，１７の底部１６ｂ，１７ｂで最小となっている。物品１Ａは、図３に示すように、股下域９の幅寸法が前後胴周り域８，１０の幅寸法よりも小さく、その平面形状が砂時計型を呈する。
【００２３】
外装シート４は、実質的に非伸縮性の疎水性繊維不織布４ａ，４ｂを重ね合わせた複合不織布から形成されている。パネル５は、股下域９から前後胴周り域８，１０へ向かって延びている。パネル５は、フラッフパルプと高吸収性ポリマー粒子との混合物、または、フラッフパルプと高吸収性ポリマー粒子と熱可塑性合成樹脂繊維との混合物であり、所与厚みに圧縮されている。ゆえに、パネル５は、表裏面シート２，３や外装シート４よりもその剛性が高い。
【００２４】
股下域９には、幅方向へ離間対向して脚周り方向へ延びる第１および第２折曲案内部１９，２０と、脚周り方向へ離間対向して幅方向へ延びる一対の第３折曲案内部２１とが形成されている。股下域９の幅方向中央部９ａには、パネル５が存在しない非存在域２２が形成されている。パネル５の両側縁部５ｃの内側には、脚周り方向へ延びる一対の第４折曲案内部２３が形成されている。
【００２５】
第１折曲案内部１９は、股下域９の左半分に形成され、左脚周り開口１６の頂部１６ａの側に位置する脚周り側部１３の自由縁１３ａから股下域９の幅方向中央部９ａに向かって幅方向内方へ凸となるように、実質的に弧を画いている。第１折曲案内部１９は、脚周り側部１３の自由縁１３ａと幅方向中央部９ａとの間に延びる両側部分１９ａと、幅方向中央部９ａに位置してそれら両側部分１９ａの間に延びる中央部分１９ｂとから形成されている。両側部分１９ａは、脚周り側部１３の自由縁１３ａから幅方向中央部９ａへ向かうにつれて、股下域９を左右に二分する中心線Ｌへ次第に近づくように延びている。中央部分１９ｂは、中心線Ｌと略並行して延びている。
【００２６】
第２折曲案内部２０は、股下域９の右半分に形成され、右脚周り開口１７の頂部１７ａの側に位置する脚周り側部１３の自由縁１３ａから股下域９の幅方向中央部９ａに向かって幅方向内方へ凸となるように、実質的に弧を画いている。第２折曲案内部２０は、脚周り側部１３の自由縁１３ａと幅方向中央部９ａとの間に延びる両側部分２０ａと、幅方向中央部９ａに位置してそれら両側部分２０ａの間に延びる中央部分２０ｂとから形成されている。両側部分２０ａは、脚周り側部１３の自由縁１３ａから幅方向中央部９ａに向かうにつれて、中心線Ｌへ次第に近づくように延びている。中央部分２０ｂは、中心線Ｌと略並行して延びている。第１および第２折曲案内部１９，２０の中央部分１９ｂ，２０ｂは、中心線Ｌを挟んで幅方向へ所与寸法離間している。
【００２７】
第３折曲案内部２１は、股下域９の幅方向中央部９ａに形成され、第１および第２折曲案内部１９，２０の間を幅方向へ横切っている。第３折曲案内部２１は、パネル５の非存在域２２に形成されている。第３折曲案内部２１は、股下域９の幅方向中央部９ａではなく、股下域９における前後胴周り域８，１０の側に偏倚した位置に形成されていてもよい。
【００２８】
第４折曲案内部２３は、股下域９に形成されており、第３折曲案内部２１と前胴周り域８に位置するパネル５の前端縁部５ａとの間を脚周り方向へ延びている。第４折曲案内部２３は、第３折曲案内部２１からパネル５の前端縁部５ａへ向かうにつれて中心線Ｌから次第に離間するように延びている。第４折曲案内部２３は、パネル５が存在しない非存在域２４から形成されている。第４折曲案内部２３は、股下域９のみならず、股下域９と前胴周り域８とに形成されていてもよく、前胴周り域８にのみ形成されていてもよい。
【００２９】
股下域９には、第１折曲案内部１９と脚周り側部１３の自由縁１３ａとの間に延びる第１領域２５と、第２折曲案内部２０と脚周り側部１３の自由縁１３ａとの間に延びる第２領域２６と、第１および第２折曲案内部１９，２０の中央部分１９ｂ，２０ｂと第３折曲案内部２１との間に延びる第３領域２７とが形成されている。
【００３０】
第１領域２５は、第１折曲案内部１９を介して折曲され、左脚周り開口１６の内側かつ物品１Ａの幅方向内方へ向かって折り込まれている。第２領域２６は、第２折曲案内部２０を介して折曲され、右脚周り開口１７の内側かつ物品１Ａの幅方向内方へ向かって折り込まれている。第３領域２７は、第３折曲案内部２１を介して折曲され、胴周り開口１５に向かって物品１Ａの内側へ折り込まれている。
【００３１】
物品１Ａでは、第１〜第３領域２５，２６，２７を第１〜第３折曲案内部１９，２０，２１を介して折曲すると、第１〜第３領域２５，２６，２７に点線で示す仮想折曲線２８，２９，３０が形成され、第１〜第３領域２５，２６，２７がそれら折曲案内部１９，２０，２１とともに仮想折曲線２８，２９，３０を介して折曲される。第１折曲案内部１９の中央部分１９ｂと仮想折曲線２８との間に延びる部位２５ａは、脚周り側部１３の自由縁１３ａと第１折曲案内部１９の両側部分１９ａと仮想折曲線２８との間に延びる部位２５ｂに挟まれている。第２折曲案内部２０の中央部分２０ｂと仮想折曲線２９との間に延びる部位２６ａは、脚周り側部１３の自由縁１３ａと第２折曲案内部２０の両側部分２０ａと仮想折曲線２９との間に延びる部位２６ｂに挟まれている。
【００３２】
バット構造体６では、パネル５の前後端縁部５ａ，５ｂから縦方向外方へ延びる表裏面シート２，３の両端部２ａ，３ａが互いに重なり合い、両端部２ａ，３ａにおいてそれらシート２，３の内面どうしが固着され、パネル５の両側縁部５ｃから縦方向外方へ延びる表裏面シート２，３の両側部２ｂ，３ｂが互いに重なり合い、両側部２ｂ，３ｂにおいてそれらシート２，３の内面どうしが固着されている。バット構造体６では、表面シート２の外面に脚周り方向へ延びる弾性部材３１が伸長状態で取り付けられている。弾性部材３１は、表面シート２に被覆された状態でシート２に固着されている。表裏面シート２，３の両側部２ｂ，３ｂは、前後胴周り域８，１０において物品１Ａの幅方向内方へ向かって折曲されている。前後胴周り域８，１０に位置するそれらシート２，３の両側部２ｂ，３ｂは、物品１Ａの幅方向内方へ倒伏した状態にあり、互いに当接する表面シート２の外面どうしが固着されている。
【００３３】
バット構造体６では、図示はしていないが、パネル５の両側縁部５ｃの外側に表裏面シート２，３とは別体の防漏シートが取り付けられていてもよい。この場合、防漏シートは、パネル５の両側縁部５ｃの外側に固着された固定縁部と、パネル５の上方へ起立性向を有する自由縁部と、物品１Ａの幅方向内方へ倒伏した状態でパネル５の前後端縁部５ａ，５ｂ近傍に固着された固定両端部とを有し、自由縁部に脚周り方向へ延びる弾性部材が伸長状態で取り付けられる。防漏シートとしては、疎水性繊維不織布、疎水性繊維不織布と不透液性プラスチックフィルムとを重ね合わせた複合シートのいずれかを使用することができる。
【００３４】
脚周り側部１３は、表裏面シート２，３の両側部２ｂ，３ｂとパネル５の両側縁部５ｃから幅方向外方へ延びる外装シート４とから形成されている。脚周り側部１３には、脚周り方向へ延びる脚周り用弾性部材３２が伸長状態で取り付けられている。脚周り用弾性部材３２は、不織布４ａ，４ｂの間に介在し、それら不織布４ａ，４ｂに固着されている。胴周り端部１１と胴周り側部１２とは、パネル５の前後端縁部５ａ，５ｂと両端縁部５ｃとから縦方向外方へ延びる外装シート４から形成されている。胴周り端部１１には、胴周り方向へ延びる帯状の胴周り用弾性部材３３が伸長状態で取り付けられている。胴周り用弾性部材３３は、不織布４ａ，４ｂの間に介在し、それら不織布４ａ，４ｂに固着されている。
【００３５】
図３の平面図から図１の物品１Ａを作るには、前後胴周り域８，１０が互いに対向するように、バット構造体６を内側にして物品１Ａを股下域９において折曲し、脚周り側部１２を固着して前後胴周り域８，１０を連結する。次に、第１および第２領域２５，２６を第１および第２折曲案内部１９，２０を介して折曲し、図２に矢印Ｗ１で示すように、それら領域２５，２６を左右脚周り開口１６，１７の内側へ向かって折り込むとともに、第３領域２７を第３折曲案内部２１を介して折曲し、図２に矢印Ｗ２で示すように、第３領域２７を胴周り開口１５へ向かって物品１Ａの内側へ折り込めばよい。
【００３６】
図４，５は、股下域９の側から示す物品１Ａの斜視図と、左脚周り開口１６の側から示す物品１Ａの斜視側面図とであり、図６，７は、図１のＡ−Ａ線矢視断面図と、胴周り開口１５を広げて図１の物品１Ａを胴周り開口１５の上方から見たときの図とである。
【００３７】
脚周り開口１６，１７の底部１６ｂ，１７ｂでは、第１および第２領域２５，２６と第３領域２７とを折り込む以前の状態を示す図２と比較し、脚周り側部１３の自由縁１３ａどうしが物品１Ａの幅方向内方へ向かって接近し、脚周り側部１３の自由縁１３ａどうしの離間寸法が縮小している。
【００３８】
物品１Ａでは、第１および第２領域２５，２６を折り込むことによって、脚周り開口１６，１７の底部１６ｂ，１７ｂにおける股下域９の幅寸法Ｍ２が脚周り側部１３の自由縁１３ａどうしの最小離間寸法Ｍ１と略同一となり、脚周り開口１６，１７の底部１６ｂ，１７ｂにおける股下域９の幅寸法Ｍ２を着用者の股間部の幅寸法（概ね３〜８ｃｍの範囲）と略同一または着用者の股間部の幅寸法よりも小さくすることができる。
【００３９】
物品１Ａでは、それを着用したときに、脚周り開口１６，１７の底部１６ｂ，１７ｂにおける股下域９が着用者の股間部に納まるので、着用した物品１Ａに対する違和感がない。物品１Ａでは、その股下域９が着用者の股間部によって締め付けられたとしても、脚周り側部１３が不規則に折れ曲がったり、パネル５に不規則な多数の皺が生じることはないので、股下域９における排泄物吸収機能が低下することはなく、股下域９から排泄物が漏れてしまうことはない。
【００４０】
第１および第２領域２５，１６が折り込まれた物品１Ａでは、脚周り開口１６，１７の底部１６ｂ，１７ｂにおける脚周り側部１３の自由縁１３ａどうしの最小離間寸法Ｍ１が３〜９ｃｍの範囲にある。最小離間寸法Ｍ１が３ｃｍ未満では、脚周り開口１６，１７の底部１６ｂ，１７ｂにおける股下域９に排泄物を収容することが難しく、脚周り側部１３の自由縁１３ａの外側に排泄物が排泄されてしまう場合がある。また、脚周り開口１６，１７の底部１６ｂ，１７ｂにおける股下域９の幅寸法Ｍ２が着用者の股間部の幅寸法よりも小さくなり過ぎてしまい、股下域９が着用者の股間部でずれ動いてしまう場合がある。最小離間寸法Ｍ１が９ｃｍを超過すると、股下域９が着用者の股間部に納まらず、股下域９が嵩張って物品１Ａの着用中に違和感がある。
【００４１】
物品１Ａでは、第１および第２折曲案内部１９，２０の中央部分１９ｂ，２０ｂの幅方向の離間寸法Ｍ３が３〜９ｃｍの範囲にあることが好ましい。離間寸法Ｍ３が３ｃｍ未満では、第１および第２折曲案内部１９，２０を介して第１および第２領域２５，２６を折り込んだときに、脚周り開口１６，１７の底部１６ｂ，１７ｂにおける脚周り側部１３の自由縁１３ａどうしの最小離間寸法Ｍ１が３ｃｍ未満になってしまう。離間寸法Ｍ３が９ｃｍを超過すると、第１および第２折曲案内部１９，２０を介して第１および第２領域２５，２６を折り込んだとしても、脚周り開口１６，１７の底部１６ｂ，１７ｂにおける脚周り側部１３の自由縁１３ａどうしの最小離間寸法Ｍ１が９ｃｍを越えてしまう。
【００４２】
物品１Ａでは、第３折曲案内部２１の脚周り方向への離間寸法Ｍ４が３〜１２ｃｍの範囲にあることが好ましい。離間寸法Ｍ４が３ｃｍ未満の場合は、第３折曲案内部２１を介して第３領域２７を折り込むことが難しい。離間寸法Ｍ４が１２ｃｍを超過すると、第３折曲案内部２１を介して第３領域２７を折り込んだときに、第１および第２折曲案内部１９，２０の中央部分１９ｂ，２０ｂの離間寸法Ｍ３が９ｃｍを超えてしまうので、第１および第２折曲案内部２５，２６を介して第１および第２領域１９，２０を折り込んだとしても、股下域９が着用者の股間部に納まらず、股下域９が嵩張って物品１Ａの着用中に違和感がある。
【００４３】
物品１Ａでは、図６に示すように、第１および第２領域２５，２６が左右脚周り開口１６，１７の内側に折り込まれることで、第１および第２領域２５，２６とそれら領域２５，２６に位置するパネル５とが胴周り開口１５へ向かって起立する。物品１Ａでは、起立したそれら領域２５，２６とパネル５とが排泄物に対する障壁を形成するとともに、第１および第２領域２５，２６に位置するパネル５が排泄物を吸収するので、脚周り開口１６，１７の底部１６ｂ，１７ｂにおける股下域９からの排泄物の漏れを防ぐことができる。
【００４４】
物品１Ａでは、第３領域２７が胴周り開口１５へ向かって折り込まれることで、第３領域２７が脚周り開口１６，１７の底部１６ｂ，１７ｂから胴周り開口１５へ向かって凸となり、第３領域２７が排泄物に対する障壁を形成する。物品１Ａでは、第３領域２７が障壁となり、前胴周り域８に排泄された排泄物の後胴周り域１０への流動や後胴周り域１０に排泄された排泄物の前胴周り域８への流動を防ぐことができる。第３領域２７が折り込まれた物品１Ａでは、胴周り端部１１から股下域９までの縦寸法を小さくすることができ、物品１Ａをコンパクトにすることができる。
【００４５】
物品１Ａでは、股下域９の幅方向中央部９ａにパネル５が存在しない非存在域２２が形成されているので、第３領域２７を折り込み易く、第３領域２７を折り込んだとしても、股下域９の幅方向中央部９ａが嵩張ることはない。股下域９の幅方向中央部９ａでは、パネル５よりも低剛性の表裏面シート２，３が着用者の股間部に当接するので、胴周り開口１５へ向かって凸となる第３領域２７が股間部に当接したときの不快感を低減することができる。
【００４６】
物品１Ａでは、図７に示すように、それを胴周り開口１５の上方から見ると、胴周り開口１５と脚周り開口１６，１７の底部１６ｂ，１７ｂとが略直線的につながっており、脚周り開口１６，１７の底部１６ｂ，１７ｂが胴周り開口１５の直下に位置する。物品１Ａでは、それを着用するために着用者がその両脚を胴周り開口１５から脚周り開口１６，１７へ通すとき、脚周り開口１６，１７の底部１６ｂ，１７ｂに位置する脚周り側部１３に着用者の脚の指や踵が引っ掛ることはなく、物品１Ａの着用に手間取ることはない。
【００４７】
物品１Ａの着用時では、股下域９に位置するパネル５の両側縁部５ｃが第４折曲案内部２３を介して折れ曲がるので、パネル５の両側縁部５ｃを着用者の鼠径部に密着させることができ、パネル５の両側縁部５ｃと着用者の鼠径部との間に隙間が生じることを防ぐことができる。
【００４８】
図８，９は、他の実施の形態を示す着用物品１Ｂの斜視図と、第１〜第３領域２５，２６，２７を折り込む以前の状態で示す物品１Ｂの斜視図とであり、図１０は、前後胴周り域８，１０の連結を解除した状態で示す図９の物品１Ｂの部分破断展開平面図とである。図８，９では、胴周り方向を矢印Ｘ１、幅方向を矢印Ｘ２で示し、縦方向を矢印Ｙ、脚周り方向を矢印Ｚで示す。図９，１０では、第１および第２折曲案内部１９，２０を実線で示し、第３折曲案内部２１を一点鎖線で示す。
【００４９】
物品１Ｂは、肌当接側に位置する透液性表面シート２（透液性シート）と、肌非当接側に位置する不透液性裏面シート３（不透液性シート）と、裏面シート３の外側に位置する不透液性外装シート４（不透液性シート）と、表裏面シート２，３の間に介在する吸液性パネル５とから構成され、股下域９に第１〜第４折曲案内部１９，２０，２１，２３が形成されている点において図１の物品１Ａと同一である。物品１Ｂでは、表裏面シート２，３とパネル５とが液吸収性バット構造体６を形成し、外装シート４がパンツ構造体７を形成している。この物品１Ｂが図１のそれと異なる点は、以下のとおりである。
【００５０】
物品１Ｂでは、パネル５の両側縁部５ｃの内側に脚周り方向へ延びる一対の第５折曲案内部３４が形成されている。第５折曲案内部３４は、股下域９に形成されており、第３折曲案内部２１と後胴周り域１０に位置するパネル５の後端縁部５ｂとの間を脚周り方向へ延びている。第５折曲案内部３４は、第３折曲案内部２１からパネル５の後端縁部５ｂへ向かうにつれて、中心線Ｌから次第に離間するように延びている。第５折曲案内部３４は、股下域９のみならず、股下域９と後胴周り域１０とに形成されていてもよく、後胴周り域１０にのみ形成されていてもよい。
【００５１】
第４折曲案内部２３と第５折曲案内部３４とは、パネル５の剛性がそれら折曲案内部２３，３４を除くパネル５の残余域のそれよりも低い低剛性域３５から形成されている。股下域９の幅方向中央部９ａには、そこに位置するパネル５の剛性が幅方向中央部９ａを除くパネル５の残余域のそれよりも低い低剛性域３６が形成されている。
【００５２】
それら低剛性域３５，３６では、パネル５を形成するフラッフパルプと熱可塑性合成樹脂繊維とのうちの少なくとも一方の単位体積あたりの坪量がそれら低剛性域３５，３６を除くパネル５の残余域の単位体積あたりのそれよりも低く、低剛性域３５，３６におけるパネル５の厚み寸法がパネル５の残余域のそれよりも小さい。
【００５３】
第１領域２５は、第１折曲案内部１９を介して折曲され、左脚周り開口１６の内側かつ物品１Ｂの幅方向内方へ向かって折り込まれている。第２領域２６は、第２折曲案内部２０を介して折曲され、右脚周り開口１７の内側かつ物品１Ｂの幅方向内方へ向かって折り込まれている。第３領域２７は、第３折曲案内部２１を介して折曲され、胴周り開口１５へ向かって物品１Ｂの内側へ折り込まれている。
【００５４】
物品１Ｂでは、第１〜第３領域２５，２６，２７を第１〜第３折曲案内部１９，２０，２１を介して折曲すると、第１〜第３領域２５，２６，２７に点線で示す仮想折曲線２８，２９，３０が形成され、第１〜第３領域２５，２６，２７がそれら折曲案内部１９，２０，２１とともに仮想折曲線２８，２９，３０を介して折曲される。第１および第２折曲案内部１９，２０の中央部分１９ｂ，２０ｂと仮想折曲線２８，２９との間に延びる部位２７ｂは、第３折曲案内部２１と仮想折曲線２８，２９との間に延びる部位２７ａに挟まれている。
【００５５】
図１０の平面図から図８の物品１Ｂを作るには、前後胴周り域８，１０が互いに対向するように、バット構造体６を内側にして物品１Ｂを股下域９において折曲し、胴周り側部１２を固着して前後胴周り域８，１０を連結する。次に、第１および第２領域２５，２６を第１および第２折曲案内部１９，２０を介して折曲し、図９に矢印Ｗ１で示すように、それら領域２５，２６を左右脚周り開口１６，１７の内側へ向かって折り込むとともに、第３領域２７を第３折曲案内部２１を介して折曲し、図９に矢印Ｗ２で示すように、第３領域２７を胴周り開口１５へ向かって物品１Ｂの内側へ折り込めばよい。
【００５６】
図１１，１２は、股下域９の側から示す物品１Ｂの斜視図と、左脚周り開口１６の側から示す物品１Ｂの斜視側面図とであり、図１３，１４は、図８のＢ−Ｂ線矢視断面図と、胴周り開口１５を広げて図８の物品１Ｂを胴周り開口１５の上方から見たときの図とである。
【００５７】
脚周り開口１６，１７の底部１６ｂ，１７ｂでは、第１および第２領域２５，２６と第３領域２７とを折り込む以前の状態を示す図９と比較し、脚周り側部１３の自由縁１３ａどうしが物品１Ｂの幅方向内方へ向かって接近し、脚周り側部１３の自由縁１３ａどうしの離間寸法が縮小している。
【００５８】
物品１Ｂでは、脚周り開口１６，１７の底部１６ｂ，１７ｂにおける股下域９の幅寸法Ｍ２が脚周り側部１３の自由縁１３ａどうしの最小離間寸法Ｍ１と略同一となり、脚周り開口１６，１７の底部１６ｂ，１７ｂにおける股下域９の幅寸法Ｍ２を着用者の股間部の幅寸法と略同一または着用者の股間部の幅寸法よりも小さくすることができる。物品１Ｂでは、それを着用したときに、脚周り開口１６，１７の底部１６ｂ，１７ｂにおける股下域９が着用者の股間部に納まるので、着用した物品１Ｂに対する違和感がない。物品１Ｂでは、その股下域９が着用者の股間部によって締め付けられたとしても、脚周り側部１３が不規則に折れ曲がったり、パネル５に不規則な多数の皺が生じることはないので、股下域９における排泄物吸収機能が低下することはなく、股下域９から排泄物が漏れてしまうことはない。
【００５９】
物品１Ｂでは、図１３に示すように、胴周り開口１５へ向かって起立する第１および第２領域２５，２６とそれら領域２５，２６に位置するパネル５とが排泄物に対する障壁を形成するとともに、股下域９の幅方向中央部９ａと第１および第２領域２５，２６とに位置するパネル５が排泄物を吸収するので、脚周り開口１６，１７の底部１６ｂ，１７ｂにおける股下域９からの排泄物の漏れを防ぐことができる。物品１Ｂでは、股下域９の幅方向中央部９ａにパネル５の低剛性域３６が形成されているので、幅方向中央部９ａにパネル５の非存在域２２が形成された図１の物品１Ａと比較し、股下域９に多量の排泄物を吸収されることができる。
【００６０】
物品１Ｂでは、第３領域２７が脚周り開口１６，１７の底部１６ｂ，１７ｂから胴周り開口１５へ向かって凸となり、第３領域２７が排泄物に対する障壁を形成するので、前胴周り域８に排泄された排泄物の後胴周り域１０への流動や後胴周り域１０に排泄された排泄物の前胴周り域８への流動を防ぐことができる。物品１Ｂでは、第３領域２７が胴周り開口１５へ向かって折り込まれることで、胴周り端部１１から股下域９までの縦寸法を小さくすることができ、物品１Ｂをコンパクトにすることができる。股下域９の幅方向中央部９ａでは、パネル５の低剛性域３６が着用者の股間部に当接するので、胴周り開口１５へ向かって凸となる第３領域２７が股間部に当接したときの不快感を低減することができる。
【００６１】
物品１Ｂでは、図１４に示すように、胴周り開口１５と左右脚周り開口１６，１７の底部１６ｂ，１７ｂとが直線的につながっており、脚周り開口１６，１７の底部１６ｂ，１７ｂが胴周り開口１５の直下に位置している。物品１Ｂでは、それを着用するために着用者がその両脚を胴周り開口１５から脚周り開口１６，１７へ通すとき、脚周り開口１６，１７の底部１６ｂ，１７ｂの側に位置する脚周り側部１３に着用者の脚の指や踵が引っ掛ることはなく、物品１Ｂの着用に手間取ることはない。
【００６２】
物品１Ｂの着用時では、股下域９におけるパネル５の両側縁部５ｃが第４および第５折曲案内部２３，３４を介して折れ曲がるので、パネル５の両側縁部５ｃを着用者の鼠径部に密着させることができ、パネル５の両側縁部５ｃと着用者の鼠径部との間に隙間が生じることを防ぐことができる。
【００６３】
物品１Ｂでは、脚周り開口１６，１７の底部１６ｂ，１７ｂにおける脚周り側部１３の自由縁１３ａどうしの最小離間寸法Ｍ１が３〜９ｃｍの範囲にある。物品１Ｂでは、第１および第２折曲案内部１９，２０の中央部分１９ｂ，２０ｂの幅方向の離間寸法Ｍ３が３〜９ｃｍの範囲にあることが好ましい。物品１Ｂでは、第３折曲案内部２１の脚周り方向への離間寸法Ｍ４が３〜１２ｃｍの範囲にあることが好ましい。
【００６４】
図１の物品１Ａでは、股下域９に第５折曲案内部３４が形成されていてもよく、第４折曲案内部２３がパネル５の非存在域２２ではなく、パネル５の低剛性域３５から形成されていてもよい。図８の物品１Ｂには、第４および第５折曲案内部２３，３４のうちの少なくとも一方が形成されていればよく、それら折曲案内部２３，３４がパネル５の非存在域２２から形成されていてもよい。また、それら物品１Ａ，１Ｂでは、第４および第５折曲案内部２３，３４が形成されていなくてもよく、股下域９の幅方向中央部９ａにパネル５の非存在域２２と低剛性域３６とが形成されていなくてもよい。
【００６５】
それら物品１Ａ，１Ｂでは、第１〜第３領域２５，２６，２７の折り込み形態を維持するため、それら領域２５，２６，２７が折り込まれたときに、第１および第２領域２５，２６に位置して互いに当接する外装シート４の外面どうしを固着してもよく、第３領域２７に位置して互いに当接する外装シート４の外面どうしを固着してもよい。
【００６６】
表面シート２には、親水性繊維不織布、多数の開孔を有する疎水性繊維不織布、微細な多数の開孔を有するプラスチックフィルムのいずれかを使用することができる。裏面シート３には、疎水性繊維不織布、通気不透液性プラスチックフィルム、疎水性繊維不織布どうしを重ね合わせた複合不織布、疎水性繊維不織布と通気不透液性プラスチックフィルムとを重ね合わせた複合シートのいずれかを使用することができる。外装シート４には、疎水性繊維不織布、通気不透液性プラスチックフィルム、疎水性繊維不織布と通気不透液性プラスチックフィルムとを重ね合わせた複合シートのいずれかを使用することもできる。裏面シート３や外装シート４には、高い耐水性を有するメルトブローン法による繊維不織布の両面を、高い強度を有しかつ柔軟性に富んだスパンボンド法による繊維不織布で挟んだ複合不織布を使用することもできる。
【００６７】
不織布には、スパンレース、ニードルパンチ、メルトブローン、サーマルボンド、スパンポンド、ケミカルボンド、エアースルー、の各製法により製造されたものを使用することができる。不織布の構成繊維には、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００６８】
外装シート４には、伸縮性かつ疎水性の繊維不織布、伸縮性かつ不透液性のプラスチックフィルム、伸縮性かつ疎水性の繊維不織布を重ね合わせた複合不織布、伸縮性かつ疎水性の繊維不織布と伸縮性かつ不透液性のプラスチックフィルムとを重ね合わせた複合シートのいずれかを使用することもできる。
【００６９】
伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。また、外装シート４には、熱可塑性エラストマー樹脂繊維からなる伸縮性繊維不織布の少なくとも片面に、ポリプロピレン、ポリエチレン、ポリエステル、のいずれかの熱可塑性合成樹脂を溶融、紡糸した捲縮繊維からなる繊維不織布を貼り合わせた複合不織布を使用することもできる。
【００７０】
パネル５は、それの型崩れやポリマー粒子の脱落を防止するため、全体がティッシュペーパーに被覆、接合されていることが好ましい。ポリマー粒子としては、デンプン系、セルロース系、合成ポリマー系のものを使用することができる。
【００７１】
表裏面シート２，３の固着や表裏面シート２，３に対するパネル５の固着、表裏面シート２，３や外装シート４に対する弾性部材３１，３２，３３の固着には、ホットメルト型接着剤、または、ヒートシールやソニックシール等の熱による溶着手段を利用することができる。
【００７２】
【発明の効果】
本発明にかかるパンツ型の使い捨て着用物品によれば、第１および第２領域が第１および第２折曲線を介して左右脚周り開口の内側へ向かって折り込まれ、第３領域が第３折曲案内部を介して胴周り開口へ向かって折り込まれており、脚周り側部の自由側縁どうしが脚周り開口の底部で物品の幅方向内方へ向かって接近し、脚周り側部を折り込む以前の状態よりも、脚周り開口の底部における脚周り側部の自由縁どうしの離間寸法が縮小する。
【００７３】
この物品では、胴周り開口と脚周り開口の底部とが略直線的につながり、脚周り開口の底部が胴周り開口の直下に位置するので、物品を着用するために着用者がその両脚を胴周り開口から脚周り開口へ通すとき、脚周り開口の底部に位置する脚周り側部に着用者の脚の指や踵が引っ掛ることはなく、物品の着用に手間取ることはない。この物品では、第３領域が胴周り開口に向かって物品の内側へ折り込まれているので、胴周り端部から股下域までの縦寸法を小さくすることができ、物品をコンパクトにすることができる。
【００７４】
この物品では、脚周り開口の底部における股下域の幅寸法を着用者の股間部の幅寸法と同一または着用者の股間部の幅寸法よりも小さくすることができ、物品を着用したときに股下域が着用者の股間部に納まるので、着用した物品に対する違和感がない。この物品では、股下域が着用者の股間部によって締め付けられたとしても、脚周り側部が不規則に折れ曲がったり、パネルに不規則な多数の皺が生じることはないので、股下域における排泄物吸収機能が低下することはなく、股下域から排泄物が漏れてしまうことはない。
【００７５】
この物品では、脚周り開口の底部でパネルの上方へ起立する第１および第２領域が排泄物に対する障壁を形成し、脚周り開口の底部における股下域からの排泄物の漏れを防ぐことができる。この物品では、胴周り開口へ向かって凸となる第３領域が障壁となるので、前胴周り域に排泄された排泄物の後胴周り域への流動や後胴周り域に排泄された排泄物の前胴周り域への流動を防ぐことができる。
【００７６】
股下域の幅方向中央部にパネルの低剛性域とパネルの非存在域とのいずれか一方が形成された物品では、股下域の幅方向中央部の剛性がそこを除く残余域のそれよりも小さくなるので、胴周り開口へ向かって凸となる第３領域が股間部に当接したときの不快感を低減することができる。
【００７７】
パネルの両側縁部の内側を胴周り方向へ延びる第４および第５折曲案内部が形成された物品では、その着用時に、第４および第５折曲案内部を介してパネルの両側縁部が折れ曲るので、パネルの両側縁部を着用者の鼠径部に密着させることができ、パネルの両側縁部と着用者の鼠径部との間に隙間が生じることを防ぐことができる。
【図面の簡単な説明】
【図１】
使い捨て着用物品の斜視図。
【図２】
第１〜第３領域を折り込む以前の状態で示す物品の斜視図。
【図３】
前後胴周り域の連結を解除した状態で示す図２の物品の部分破断展開平面図。
【図４】
股下域の側から示す物品の斜視図。
【図５】
左脚周り開口の側から示す物品の斜視側面図。
【図６】
図１のＡ−Ａ線矢視断面図。
【図７】
胴周り開口を広げて図１の物品を胴周り開口の上方から見たときの図。
【図８】
他の実施の形態を示す着用物品の斜視図。
【図９】
第１〜第３領域を折り込む以前の状態で示す物品の斜視図。
【図１０】
前後胴周り域の連結を解除した状態で示す図９の物品の部分破断展開平面図。
【図１１】
股下域の側から示す物品の斜視図。
【図１２】
左脚周り開口の側から示す物品の斜視側面図。
【図１３】
図８のＢ−Ｂ線矢視断面図。
【図１４】
胴周り開口を広げて図８の物品を胴周り開口の上方から見たときの図。
【符号の説明】
１Ａ，１Ｂ    使い捨て着用物品
２            透液性表面シート（透液性シート）
３            不透液性裏面シート（不透液性シート）
４            不透液性外装シート（不透液性シート）
５            吸液性パネル
８            前胴周り域
９            股下域
９ａ          幅方向中央部
１０            後胴周り域
１１            胴周り端部
１３            脚周り側部
１３ａ          自由縁
１５            胴周り開口
１６            左脚周り開口
１６ａ          頂部
１６ｂ          底部
１７            右脚周り開口
１７ａ          頂部
１７ｂ          底部
１９            第１折曲案内部
１９ａ          両側部分
１９ｂ          中央部分
２０            第２折曲案内部
２０ａ          両側部分
２０ｂ          中央部分
２１            第３折曲案内部
２２            非存在域
２３            第４折曲案内部
２４            非存在域
２５            第１領域
２６            第２領域
２７            第３領域
３４            第５折曲案内部
３５            低剛性域
３６            低剛性域
Ｍ１            最小離間寸法
Ｍ２            幅寸法
Ｍ３            離間寸法
Ｍ４            離間寸法
Ｌ              中心線